(57)【特許請求の範囲】
【請求項１】
基板上に実装されて使用され、挿入方向の先端側にカード端子部を有するカードが挿入されて接続されるカード用コネクタにおいて、
挿入されるカードを案内すると共に挿入されたカードを支持する両側のガイドレールと、両側のガイドレールの奥部の間を横切る横架部と、この横架部に設けてあり上記基板と接続される複数の端子部材とを有するフレームと、
該フレームとは別の部材であり、複数の端子部材を有し、上記フレーム内に上記カードの挿入方向に移動可能に設けてあるコネクタ部材と、
該コネクタ部材をカードの挿入方向とは逆方向にばね付勢するバネ部材と、
上記フレームの奥部に移動されてきた上記コネクタ部材をその位置にロックし、且つ、上記ロックされているコネクタ部材が上記カードの挿入方向に移動されたときにロックを解除するロック機構とを有し、
上記ロック機構は、上記コネクタ部材の端面に上下方向に移動可能に設けられて突き出しているピンと、上記フレームのガイドレールの内側に設けられて前記挿入方向に対して上方向に指向して傾斜して前記ピンに当接するガイド腕部と、当該ガイド腕部の前記挿入方向端から下方向に延びかつ前記挿入方向側に延びて上記ピンを係止するフック部を有し、
上記カードが挿入されると、該コネクタ部材がカードによって押されて、上記バネ部材を撓ませて移動され、上記カード端子部が上記コネクタ部材の端子部材と接続され、該コネクタ部材の端子部材が上記フレームの端子部材と接続され、上記コネクタ部材が上記ロック機構によってロックされた状態となり、
上記フレーム内に挿入されているカードの後端部を押し込むことによって、上記コネクタ部材の上記ロック機構によるロックが解除され、上記バネ部材によって上記コネクタ部材がカードの挿入方向とは逆方向に移動されて、上記カードの後端側が上記フレームから突き出される構成としたことを特徴とするカード用コネクタ。
【請求項２】
前記ガイド腕部と前記フック部を一体的に含む係止部材を含むことを特徴とする請求項１に記載のカード用コネクタ。
【請求項３】
前記係止部材が前記挿入方向の中間にリング部を含み、前記フレームのガイドレールの内側が当該リング部に嵌合される突起を含むことを特徴とする請求項２に記載のカード用コネクタ。
【請求項４】
前記コネクタ部材の前記端面が前記ピン及び前記ピンに連結される円板部を上下方向に移動自在に支持する溝部を含むことを特徴とする請求項３に記載のカード用コネクタ。
【発明の詳細な説明】
【０００１】
【発明の属する技術分野】
本発明はカード用コネクタに係り、特に端末装置及び携帯用のパソコン等に組み込まれて使用されており、カードの略全体が端末装置内に挿入されて接続されるカード用コネクタに関する。
【０００２】
端末装置等に組み込まれているメモリカード用コネクタにおいては、端末装置の軽量化及び薄型化の要求に伴って、小型化が要求されている。
【０００３】
【従来の技術】
一般に、端末装置等に組み込まれているメモリカード用コネクタは、メモリカードの全体が端末装置内に挿入されて接続されている構成であり、挿入過程のメモリカードを案内し且つ挿入されたメモリカードを支持するフレームを有し、且つこのフレームの隣に、挿入されているメモリカードをイジェクトするときに、押し操作されるイジェクト釦を有する構成である。
【０００４】
このメモリカード用コネクタは、奥部の端子部材を回路基板上のパッドと半田付けされて、且つ、フレームを回路基板上に固定して取り付けてあり、端末装置のメモリカード挿入口の場所に設けてある。イジェクト釦は、端末装置のメモリカード挿入口の直ぐ傍に配置してある。
【０００５】
【発明が解決しようとする課題】
このため、メモリカード用コネクタにイジェクト釦が存在することが、端末装置の小型化を図る場合の障害となっていた。
【０００６】
また、メモリカード用コネクタをイジェクト釦を不要とした構成とした場合であっても、イジェクト釦を無くしたことに伴って付加した機構がメモリカード用コネクタのサイズを大きくすることになっては、イジェクト釦を無くした意味がない。従って、イジェクト釦を無くしたことに伴って付加した機構は、メモリカード用コネクタのサイズを大きくしない構成であることが必要である。
【０００７】
そこで、本発明は、上記の課題を解決したカード用コネクタを提供することを目的とする。
【０００８】
【課題を解決するための手段】
上記課題を解決するために、請求項１の発明は、
基板上に実装されて使用され、挿入方向の先端側にカード端子部を有するカードが挿入されて接続されるカード用コネクタにおいて、
挿入されるカードを案内すると共に挿入されたカードを支持する両側のガイドレールと、両側のガイドレールの奥部の間を横切る横架部と、この横架部に設けてあり上記基板と接続される複数の端子部材とを有するフレームと、
該フレームとは別の部材であり、複数の端子部材を有し、上記フレーム内に上記カードの挿入方向に移動可能に設けてあるコネクタ部材と、
該コネクタ部材をカードの挿入方向とは逆方向にばね付勢するバネ部材と、
上記フレームの奥部に移動されてきた上記コネクタ部材をその位置にロックし、且つ、上記ロックされているコネクタ部材が上記カードの挿入方向に移動されたときにロックを解除するロック機構とを有し、
上記ロック機構は、上記コネクタ部材の端面に上下方向に移動可能に設けられて突き出しているピンと、上記フレームのガイドレールの内側に設けられて前記挿入方向に対して上方向に指向して傾斜して前記ピンに当接するガイド腕部と、当該ガイド腕部の前記挿入方向端から下方向に延びかつ前記挿入方向側に延びて上記ピンを係止するフック部を有し、
上記カードが挿入されると、該コネクタ部材がカードによって押されて、上記バネ部材を撓ませて移動され、上記カード端子部が上記コネクタ部材の端子部材と接続され、該コネクタ部材の端子部材が上記フレームの端子部材と接続され、上記コネクタ部材が上記ロック機構によってロックされた状態となり、
上記フレーム内に挿入されているカードの後端部を押し込むことによって、上記コネクタ部材の上記ロック機構によるロックが解除され、上記バネ部材によって上記コネクタ部材がカードの挿入方向とは逆方向に移動されて、上記カードの後端側が上記フレームから突き出される構成としたことを特徴とするものである。
【０００９】
端子部材を有するフレームの内部に、端子部材を有するコネクタ部材をカードの挿入方向に移動可能に設けた構成は、コネクタ部材がカードの挿入方向とは逆方向に移動することによって、カードの後端側がフレームから突き出るようになる。フレームから突き出た部分が掴みしろとなって、カードが抜き取られる。よって、イジェクト釦が不要となって、カード用コネクタのサイズが小型になる。
【００１０】
また、端子部材を有するフレームの内部に、端子部材を有するコネクタ部材をカードの挿入方向に移動可能に設けた構成とすることによって、カード用コネクタのサイズが小型になる。
【００１２】
カードの抜き取りに際しては、フレーム内に挿入されているカードの後端部を押し込む操作を行うだけで、バネ部材によって移動されて、カードの後端側が上記フレームから突き出されるようになるため、操作が簡単となる。
【００１３】
前記カード用コネクタにおいて、上記バネ部材は、上記フレームの横架部と、上記コネクタ部材との間に設けてある板バネ部材であるようにしてもよい。
【００１４】
板バネ部材を使用することによって、撓んだときに占めるスペースが、板バネ部材の厚さにまで狭くなる。よって、カード用コネクタのサイズが小型になる。
【００１６】
ロック機構がコネクタ部材の端面とガイドレールの内側との間の空間に設けてあり、カード用コネクタのサイズが小型になる。
【００１７】
【発明の実施の形態】
図１及び図２（Ａ）乃至（Ｄ）は本発明の一実施例になるメモリカード用コネクタ２０を示す。Ｘ１，Ｘ２は左右方向、Ｙ１，Ｙ２は奥行き方向、Ｚ１、Ｚ２は高さ方向である。なお、Ｙ１はカード挿入方向、Ｙ２はカード押し出し方向（カードイジェクト方向）である。
【００１８】
メモリカード用コネクタ２０は、回路基板１００上に実装してある。この回路基板１００が端末装置１１０の内部に組み込まれており、メモリカード用コネクタ２０のフレームの端が端末装置１１０のメモリカード挿入口１１１に位置している。メモリカード用コネクタ２０は、ＪＥＩＤＡ／ＰＣＭＣＩＡ準拠品であり、メモリカード（ＰＣカード）１０が使用される。メモリカード１０は、挿入方向の先端に、多数の雌コネクタ１１が整列しているコネクタ部１２を有する構成である。１３は後端部である。
【００１９】
メモリカード用コネクタ２０は、フレーム３０及びスライド可能なコネクタ部材５０等を有し、Ｙ２側にメモリカード挿入開口部３０ａを有する。
【００２０】
フレーム３０は、複数の端子部材がインサート成形されている合成樹脂モールド部品であり、ガイドレール３１，３２と、横架部３３と、横桟３４，３５とを有する。ガイドレール３１，３２は、上下にフランジを有して断面がコ字形であり、Ｘ１，Ｘ２の両側にＹ１，Ｙ２に延在しており、挿入されるメモリカードを案内すると共に挿入されたメモリカードを保持する。ガイドレール３１，３２の間は、横桟３４，３５でもって連結されている。横架部３３は、ガイドレール３１，３２のＹ１側の端の間を連結している。この横架部３３には、複数の端子部材をインサートして成形されており、複数の端子部材３６が整列して設けてある。端子部材３６は、一端に、横架部３３よりＹ１方向に突き出している実装用の端子部３６ａを有し、他端に、横架部３３よりＹ２方向に突き出しているベローズ端子部３６ａを有する。
【００２１】
横架部３３及び横桟３５は、ガイドレール３１，３２の下面３１ｂ，３２ｂよりＺ２方向に寸法ｚ突き出している。上記のベローズ端子部３６ａは、ガイドレール３１，３２の下面３１ｂ，３２ｂを含むＸ-Ｙ平面Ｓ１と、横架部３３及び横桟３５の下面を含むＸ-Ｙ平面Ｓ２との間に形成される狭い空間７０内に位置している。
【００２２】
ガイドレール３１，３２の上側のフランジ３１ａ，３１ｂのＹ１側の部分には、スリット状のガイド溝３８，３９が形成してある。３８ａ，３９ａはガイド溝３８，３９のＹ２方向の端であり、ストッパとして機能する。
【００２３】
ガイドレール３１の内側面のＹ１側の部分には、図３（Ａ）に示すように、細長いガイド・係止部材４０が設けてある。ガイド・係止部材４０は、ガイド腕部４０ａと、このガイド腕部４０ａのＹ１端のＬ字形状のフック部４０ｂとを有し、ガイド腕部４０ａの途中の個所のリング部４０ｃをガイドレール３１の内側面の突起に嵌合させ、突起を熱によってつぶすことによって固定してある。３１ｃは潰された突起である。ガイド腕部４０ａは、Ｙ１方向に向かうにつれてＺ１方向に上がるように傾斜していている。このガイド・係止部材４０のサイズ及び取り付け位置は、後述するコネクタ部材５０との関係で定めてある。
【００２４】
図３（Ｂ）に示すように、ガイド腕部４０ａのＹ２方向の端部４０ａ１は、Ｙ２方向に最大移動してＰ１１に位置しているコネクタ部材５０との関係で定めてあり、Ｚ１-Ｚ２方向については、後述するピン５６ｂの高さＨ１より低い高さＨ２であり、且つＹ１-Ｙ２方向については、ピン５６ｂの位置Ｐ１よりも寸法ａだけＹ１方向にずれた位置にある。即ち、端部４０ａ１は、コネクタ部材５０がＹ１方向に移動するときに、ピン５６ｂを案内出来る位置に位置している。
【００２５】
Ｌ字形状のフック部４０ｂは、図３（Ｃ）に示すように、Ｙ１方向に最大移動してＰ２０に位置したコネクタ部材５０のとの関係で定めてあり、Ｚ１-Ｚ２方向については、後述するピン５６ｂの高さＨ１より高い高さＨ３であり、且つＹ１-Ｙ２方向については、ピン５６ｂの位置Ｐ１０よりも寸法ｂだけＹ２方向にずれた位置にある。ガイド・係止部材４０は、位置Ｐ１と位置Ｐ１０との間に設けてある。
【００２６】
図３（Ｄ）はピン５６ｂがフック部４０ｂに係止されて、コネクタ部材５０がＹ２方向への移動を制限されてロックされている状態を示す。ピン５６ｂは、位置Ｐ１０より寸法ｃだけＹ２方向にずれた位置にある。コネクタ部材５０は位置Ｐ２０よりＹ２方向に寸法ｃ移動した位置Ｐ１９に位置している。この寸法ｃはピン５６ｂの直径に略相当する寸法であり、短い。よって、メモリカード用コネクタ２０のＹ１-Ｙ２方向のサイズは小さく出来る。
【００２７】
ここで、コネクタ部材５０の位置Ｐ１１、位置Ｐ１１とＰ２０間の寸法Ｑ、ガイドレール３１，３２のＹ２方向の端の位置（ガイドレール３１，３２の長さ）は、メモリカード１０の長さＬを考慮して、図１２（Ｃ）及び図１４（Ａ）、（Ｂ）に示すメモリカードイジェクトが完了した状態で、メモリカード１０のうちメモリカード挿入口１１１（メモリカード挿入開口部３０ａ）からの外部に突き出した部分１４の寸法Ｌ１が、操作者が手の指でしっかり掴むことができる寸法であるように定めてある。
【００２８】
なお、別のガイド・係止部材４０を反対側のガイドレール３２の内側面にも設けてもよい。
【００２９】
上記のガイド・係止部材４０と後述する駒５６及びピン５６ｂとが、ロック機構を構成する。
【００３０】
図４（Ａ）乃至（Ｃ）は、コネクタ部材５０を示す。コネクタ部材５０は、複数の端子部材をインサートして成形された部材であり、合成樹脂製のモールドブロック５１に、複数の端子部材５２が整列して設けてある構造である。端子部材５２は、モールドブロック５１のＹ２側の面５１ａよりＹ２方向に突き出しているピン形状の第１の端子部５２ａと、モールドブロック５１の下面５１ｂに突き出している円弧形状の第２の端子部５２ｂとを有する。
【００３１】
第１の端子部５２ａは、メモリカード１０の先端のコネクタ部１２の雌コネクタ１１に対応して並んでいる。第２の端子部５２ｂは、スライドコンタクトであり、上記のベローズ端子部３６ａに対応して並んでいる。
【００３２】
モールドブロック５１の上面５１ｃには、Ｘ１、Ｘ２側であって、Ｙ２側の端に、突起５３、５４が形成してある。
【００３３】
モールドブロック５１のＸ１方向の端には、断面がＴ字形状の溝５５が上面５１ｃからＺ２方向に向かって途中まで形成してある。５６は駒であり、円板部５６ａと、この円板部５６ａから突き出しているピン５６ｂとよりなる。この駒５６は溝５５内に嵌合しており、ピン５６ｂがモールドブロック５１のＸ１方向の端面５１ｄよりＸ１側に突き出している。駒５６は自重によってＺ２方向に移動している。また、端面５１ｄには、Ｙ１-Ｙ２方向の溝５７が形成してある。この溝５７は、Ｚ１-Ｚ２方向の略全幅に亘っており、上記のガイド・係止部材４０を受け入れるために形成してある。ピン５６ｂは、溝５７内に突き出している。
【００３４】
上記の構成のコネクタ部材５０は、モールドブロック５１のＸ１、Ｘ２端側を夫々ガイドレール３１，３２に嵌合されてガイドレール３１，３２間に横架して支持されており、Ｙ１-Ｙ２方向にスライド可能である。また、突起５３、５４が夫々ガイド溝３８，３９に嵌合されており、スライドする範囲はガイド溝３８，３９が形成されている部分によって決定される。Ｙ２方向については、図１及び図２（Ａ）に示すように、突起５３、５４が端３８ａ，３９ａに当たっている位置であり、位置Ｐ１０である。
【００３５】
コネクタ部材５０とベローズ端子部３６ａとは、コネクタ部材５０がＹ２方向にスライドした状態では、第２の端子部５２ｂがベローズ端子部３６ａから離れており、コネクタ部材５０がＹ２方向にスライドするとコネクタ部材５０がベローズ端子部３６ａの上側に位置して、各第２の端子部５２ｂが対応するベローズ端子部３６ａに乗りあがって、第２の端子部５２ｂとベローズ端子部３６ａとが接触して電気的に接続された状態となる。
【００３６】
図１及び図２中、６０は板バネ部材であり、一端がフレーム３０の横架部３３のＹ２側の面のうちガイドレール３２に近い場所に固定してある。板バネ部材６０の自由端６０ａ側は、モールドブロック５１のＹ１側の面５１ｅのうちＸ１端の近くの位置に当たっており、コネクタ部材５０をＹ２方向に押している。
【００３７】
板バネ部材６０は、横架部３３とコネクタ部材５０との間の空間６１内に収まっている。よって、板バネ部材６０はフレーム３０の内側に収まっており、メモリカード用コネクタ２０は小型となっている。
【００３８】
また、板バネ部材６０は、上記の空間６１の内部で撓み、図８（Ａ）に示すように、空間６１のＹ１-Ｙ２方向の寸法ｅが板バネ部材６０の厚さｔと略同じとなるまで撓む。よって、コネクタ部材５０はＹ１方向に横架部３３に近接する位置まで移動可能である。これによって、Ｙ１-Ｙ２方向には無駄な場所が極力狭くなっており、メモリカード用コネクタ２０はＹ１-Ｙ２方向の寸法が短くて小型となっている。
【００３９】
以上が、メモリカード用コネクタ２０の構成である。
【００４０】
このメモリカード用コネクタ２０は、図１に示すように、実装用の端子部３６ａを回路基板１００上のパッドに半田付けされて、且つ、ガイドレール３１、３２を回路基板１００にねじ等で固定されて、回路基板１００上に実装してある。メモリカード用コネクタ２０は、図２に示す状態にある。
【００４１】
次に、メモリカード用コネクタ２０へメモリカード１０を挿入して接続するときの操作及び動作について説明する。
【００４２】
図５（Ａ）乃至（Ｅ）はメモリカード１０をメモリカード用コネクタ２０へ接続するときの操作を示す。操作者は、例えばひとさし指２００でメモリカード１０を押し込む操作を二回行なう。図５（Ａ），（Ｂ）が第１回目の押し込み操作であり、図５（Ｄ）が第２回目の押し込み操作である。
【００４３】
先ず、図５（Ａ）に示すように、メモリカード１０を端末装置１１０のメモリカード挿入口１１１に挿入し、指２００でメモリカード１０の後端部１３を押してメモリカード用コネクタ２０内に挿入する。メモリカード１０の大部分がメモリカード用コネクタ２０内に挿入された段階で、挿入に対する抵抗が急に増すけれども、操作者は、図５（Ｂ）に示すように、指２００でメモリカード１０を十分に強く押し込んで、メモリカード１０がストッパに当たった感触を得るまでしっかりと押し込む。
【００４４】
メモリカード１０は、ガイドレール３１，３２にガイドされて軽く挿入され、図６（Ａ）、（Ｂ）に示すように、先端が第１の端子部５２ａと当たった状態となる。次いで、コネクタ部材５０がＹ１方向に押され、板バネ部材６０が撓まされてコネクタ部材５０がＹ１方向に移動されて、図７（Ａ）に示す状態を経て、板バネ部材６０が最大に撓わまされて、コネクタ部材５０がＹ１方向に最大に移動された図８（Ａ）に示す状態となる。コネクタ部材５０は、図３（Ｃ）に示す位置Ｐ２０まで移動される。メモリカード１０は更に押し込まれ、雌コネクタ１１が第１の端子部５２ａと嵌合され、最終的には、図９（Ａ）に示す状態となる。
【００４５】
コネクタ部材５０が押されてＹ１方向に移動されるときに、ピン５６ｂは、図７（Ｂ）に示すように、ガイド・係止部材４０のガイド腕部４０ａに乗り上がってガイド腕部４０ａに案内されてＺ１方向に移動されつつＹ１に移動される。更に、ピン５６ｂは、図８（Ｂ）に示すように、ガイド腕部４０ａを越え、Ｚ２方向に移動され、Ｌ字形状のフック部４０ｂ上に一旦落ち、更にＹ１に移動されて、フック部４０ｂから抜け出し、Ｚ２方向に移動される。メモリカード１０が最終位置まで押し込まれて雌コネクタ１１が第１の端子部５２ａと嵌合された状態では、ピン５６ｂとガイド・係止部材４０とは、図９（Ｂ）に示す状態となる。ピン５６ｂは、フック部４０ｂに対して、Ｙ１方向で且つＺ２方向に位置している。
【００４６】
次いで、操作者は、図５（Ｂ）に示すように、指２００を離す。すると、メモリカード１０の後端側が、メモリカード挿入口１１１より突き出す。
【００４７】
指２００が離され、Ｙ１方向の押し込み力が解除されると、図１０（Ａ）に示すように、板バネ部材６０のばね力によって、コネクタ部材５０がＹ２方向に移動されて最初の位置Ｐ１１にまで戻され、メモリカード１０がＹ２方向に移動されて、メモリカード１０の後端側が、メモリカード挿入口部１１１より突き出す。
【００４８】
ピン５６ｂは、図１０（Ｂ）に示すように、フック部４０ｂの下側を通ってＹ２方向に移動され、最後の段階で、ガイド腕部４０ａのうち端部４０ａ１側の部分を、二点鎖線で示すようにＺ１方向に撓ませて、この下側を潜り抜けて、最初の位置Ｐ１にまで戻される。
【００４９】
最後に、操作者は、図５（Ｄ）に示すように、指２００でメモリカード１０の後端側をロックが掛かる位置まで押し込み、指２００を離す。これによって、図５（Ｅ）に示すように、メモリカード１０は、端末装置１１０内に収容された状態となり、メモリカード用コネクタ２０との接続が完了する。
【００５０】
指２００でメモリカード１０の後端側１３を押し込むと、図１１に示すように、コネクタ部材５０が板バネ部材６０を撓ませつつＹ１方向に、位置１９まで移動される。ピン５６ｂは、図１１（Ｃ）に示すように、ガイド・係止部材４０のガイド腕部４０ａに乗り上がってガイド腕部４０ａに案内されてＺ１方向に移動されつつＹ１に移動され、ガイド腕部４０ａを越えた時点で、Ｚ２方向に移動され、Ｌ字形状のフック部４０ｂ上に落ちて、ここに係止される。これによって、コネクタ部材５０はロックされて、Ｙ２方向への移動を制限され、メモリカード１０は、図１１（Ａ）、（Ｂ）に示すように、その略全体がフレーム３０内に収容されてガイドレール３１，３２によって支持された状態となる。ここで、ピン５６ｂがフック部４０ｂに係止されたことを、指に小さな衝撃で伝える機構を設けることも可能である。この機構を設けることによって、操作者は、コネクタ部材５０がロックされたことを指先で感じ取ることが出来、よって、指でメモリカード１０をコネクタ部材５０がロックされる位置まで押し込む操作を確実に行うことが可能となる。
【００５１】
また、図１１（Ｂ）、（Ｄ）に示すように、コネクタ部材５０の第２の端子部５２ｂが対応するベローズ端子部３６ａに乗りあがって、第２の端子部５２ｂとベローズ端子部３６ａとが接触して電気的に接続された状態となる。
【００５２】
次に、接続されているメモリカード１０を抜き取るときの操作及び動作について説明する。
【００５３】
図１２（Ａ）乃至（Ｃ）はメモリカード用コネクタ２０に接続されているメモリカード１０をメモリカード用コネクタ２０から抜き取るときの操作を示す。操作者は、最初に、図１２（Ａ）に示すように、ひとさし指２００でメモリカード１０を強く押し込む操作を行ない、次いで、図１２（Ｂ）に示すように、指２００を離し、最後に、図１２（Ｃ）に示すように、ひとさし指２００と親指２０１とでメモリカード１０を掴んで引き抜く操作を行なう。
【００５４】
指２００でメモリカード１０を強く押し込むと、既に十分に撓んでいる板バネ部材６０が更に撓まされて、図１３（Ａ）に示すように、コネクタ部材５０が位置２０に向かってＹ１方向に移動される。ピン５６ｂは、図１３（Ｂ）に示すように、フック部４０ｂから抜け出し、Ｚ２方向に移動されて、フック部４０ｂより下側に到る。コネクタ部材５０のロックが解除された状態となる。
【００５５】
指２００が離され、Ｙ１方向の押し込み力が解除されると、図１４（Ａ）に示すように、板バネ部材６０のばね力によって、コネクタ部材５０がＹ２方向に移動されて最初の位置Ｐ１１にまで戻され、メモリカード１０がＹ２方向に移動されて、メモリカード１０の後端側が、メモリカード挿入口部１１１より突き出す。また、図１４（Ｂ）に示すように、第２の端子部５２ｂがベローズ端子部３６ａから外れて、第２の端子部５２ｂとベローズ端子部３６ａとの電気的接続が解除される。ピン５６ｂは、図１４（Ｃ）に示すように、フック部４０ｂの下側を通ってＹ２方向に移動され、ガイド腕部４０ａのうち端部４０ａ１側の部分の下側を潜り抜けて、最初の位置Ｐ１にまで戻される。
【００５６】
コネクタ部材５０は、突起５３、５４がガイド溝３８，３９の端３８ａ，３９ａに当たって、それ以上のＹ２方向への移動を制限されている。
【００５７】
ひとさし指２００と親指２０１とでメモリカード１０のうちメモリカード挿入口部１１１から外に突き出した部分１４を掴んで引き抜く操作を行なうと、コネクタ部材５０はそれ以上のＹ２方向への移動を制限されているため、図１５に示すように、雌コネクタ１１が第１の端子部５２ａから徐々に抜け出して、外れて、メモリカード１０が抜き取られる。
【００５８】
【発明の効果】
以上説明したように、請求項１の発明は、基板上に実装されて使用され、挿入方向の先端側にカード端子部を有するカードが挿入されて接続されるカード用コネクタにおいて、端子部材を有するフレームの内部に、端子部材を有するコネクタ部材をカードの挿入方向に移動可能に設けた構成であるため、コネクタ部材がカードの挿入方向とは逆方向に移動することによって、カードの後端側がフレームから突き出るようになり、フレームから突き出た部分が掴みしろとなって、カードを抜き取ることが出来る。よって、イジェクト釦が不要となって、カード用コネクタのサイズが小型になる。また、フレームの内部に、端子部材を有するコネクタ部材をカードの挿入方向に移動可能に設けた構成とすることによって、構造が簡単となり、よって、イジェクト釦レスのカード用コネクタであって、しかも、サイズが可能な限り小型であるカード用コネクタを実現することが出来る。
【００５９】
請求項１の発明は、基板上に実装されて使用され、挿入方向の先端側にカード端子部を有するカードが挿入されて接続されるカード用コネクタにおいて、フレームと、フレーム内にカードの挿入方向に移動可能に設けてあるコネクタ部材と、コネクタ部材をカードの挿入方向とは逆方向にばね付勢するバネ部材と、フレームの奥部に移動されてきたコネクタ部材をその位置にロックし、且つ、上記ロックされているコネクタ部材が上記カードの挿入方向に移動されたときにロックを解除するロック機構とを有する構成であるため、カードの抜き取りに際しては、フレーム内に挿入されているカードの後端部を押し込む操作を行うだけで、バネ部材によって移動されて、カードの後端側が上記フレームから突き出されるようになり、よって、操作が簡単であるイジェクト釦レスのカード用コネクタを実現することが出来る。
【００６１】
請求項１の発明は、ロック機構がコネクタ部材の端面とガイドレールの内側との間の空間に設けてある構成であるため、カード用コネクタのサイズを小型に出来る。
【図面の簡単な説明】
【図１】本発明の一実施例のメモリカード用コネクタの斜視図である。
【図２】図１のメモリカード用コネクタを示す図である。
【図３】ガイド・係止部材を示す図である。
【図４】コネクタ部材を示す図である。
【図５】メモリカードを接続するときの操作の手順を説明する図である。
【図６】図５（Ａ）のメモリカード挿入操作の完了時の状態を示す図である。
【図７】図５（Ｂ）のメモリカード押し込み操作の途中の状態を示す図である。
【図８】メモリカードが図７（Ａ）の状態より更に押し込まれた状態を示す図である。
【図９】メモリカードの押し込みが完了したときの状態を示す図である。
【図１０】図５（Ｃ）の操作に伴なう動作を説明する図である。
【図１１】図５（Ｅ）のメモリカード接続完了の状態を示す図である。
【図１２】メモリカードを抜き取るときの操作の手順を説明する図である。
【図１３】図１２（Ａ）のメモリカードの押し込み操作を行ったときの状態を示す図である。
【図１４】図１２（Ｂ）の操作に伴なう動作を説明する図である。
【図１５】図１２（Ｃ）の操作をしたときの動作状態を示す図である。
【符号の説明】
１０  メモリカード（ＰＣカード）
１１  雌コネクタ
１２  コネクタ部
２０  メモリカード用コネクタ
３０  フレーム
３１，３２  ガイドレール
３３  横架部
３６  端子部材
３６ａ  実装用の端子部
３６ｂ  ベローズ端子部
３８，３９  ガイド溝
３８ａ，３９ａ  端
４０  ガイド・係止部材
４０ａ  ガイド腕部
４０ｂ  Ｌ字形状のフック部
５０  コネクタ部材
５１  合成樹脂製のモールドブロック
５２  端子部材
５２ａ  ピン形状の第１の端子部
５２ｂ  円弧形状の第２の端子部
５３、５４  突起
５５  溝
５６  駒
５６ｂ  ピン
６０  板バネ部材
６１、７０  空間
１００  回路基板
１１０  端末装置
１１１  メモリカード挿入口
【図１】
0004647154.tif 000002
【図２】
0004647154.tif 000003
【図３】
0004647154.tif 000004
【図４】
0004647154.tif 000005
【図５】
0004647154.tif 000006
【図６】
0004647154.tif 000007
【図７】
0004647154.tif 000008
【図８】
0004647154.tif 000009
【図９】
0004647154.tif 000010
【図１０】
0004647154.tif 000011
【図１１】
0004647154.tif 000012
【図１２】
0004647154.tif 000013
【図１３】
0004647154.tif 000014
【図１４】
0004647154.tif 000015
【図１５】
0004647154.tif 000016